(57)【要約】【課題】紐を容易に固定する。【解決手段】板体３０を押し下げ、板体３０の開口部３２が筐体１０の開口部３２と重なる状態で、紐４０を一側端側から両開口部２２，３２に挿入する。その後、板体３０をバネ２０の力で上方に移動することで、板体開口部２２の下側端部と、筐体開口部３２の上側端部とで紐４０を挟み固定する。【選択図】図３
2009261863.tif 000002
【特許請求の範囲】
【請求項１】
一側端側から内部方向に向かって伸びる切り欠き状の板体開口部を有する板体と、
上端面に設けられた開口から内部に伸び、前記開口から挿入される前記板体を摺動自在に収容する板体収容空間を有するとともに、一側端側から前記板体収容空間に至る切り欠き状の筐体開口部を有する筐体と、
前記板体収容空間の底部に配置され、前記板体が板体収容空間に挿入されたときに、板体の下端と接触し、板体開口部が筐体開口部より上方に位置するように前記板体を上方に向けて付勢するバネと、
を含み、
板体を押し下げ、板体開口部が筐体開口部と重なる状態で、紐を一側端側から両開口部内に挿入し、その後板体をバネの力で上方に移動することで、板体開口部の下側端部と、筐体開口部の上側端部とで紐を挟み固定する紐固定具。
【請求項２】
請求項１に記載の紐固定国おいて、
前記板体開口部の下側に当たる板体端部は、下方に向けて切り欠いた凹部を有しており、挿入された紐をここに収容した状態で、紐を前記筐体開口部の上側に当たる筐体端部に押しつけ固定する紐固定具。
【請求項３】
請求項２に記載の紐固定具において、
前記板体の前記開口部の下側端部の凹部に対応する位置の厚みは、板体の他の位置より薄く形成されている紐固定具。
【請求項４】
請求項１〜３のいずれか１つに記載の紐固定具において、
前記筐体の一側端は、前記筐体開口部より下方が上方より筐体の内側に位置している紐固定具。
【請求項５】
請求項１〜４のいずれか１つに記載の紐固定具において、
前記筐体の底部には、前記板体収容空間を外部と連通する連通部を有する紐固定具。
【請求項６】
請求項１〜５のいずれか１つに記載の紐固定具において、
前記板体を押し下げることによって、前記紐の固定を開放できる紐固定具。
【発明の詳細な説明】
【技術分野】
【０００１】  本発明は、紐を任意位置において固定する紐固定具に関する。
【背景技術】
【０００２】  紐は、複数の物体を縛るためによく用いられ、紐をループ状にして、その中にあるものを縛ることもよく行われる。例えば、木の幹や枝を添え木に固定する場合にも、通常紐により両者を縛って固定している。【０００３】  この場合、紐のループを任意位置に容易に固定できることが望まれる。
【特許文献１】特開２００１−１２００８３号公報
【特許文献２】特開平９−４７３０７号公報
【発明の開示】
【発明が解決しようとする課題】
【０００４】  紐固定において、簡単な操作でより容易に紐を固定することが望まれる。
【課題を解決するための手段】
【０００５】  本発明は、一側端側から内部方向に向かって伸びる切り欠き状の板体開口部を有する板体と、上端面に設けられた開口から内部に伸び、前記開口から挿入される前記板体を摺動自在に収容する板体収容空間を有するとともに、一側端側から前記板体収容空間に至る切り欠き状の筐体開口部を有する筐体と、前記板体収容空間の底部に配置され、前記板体が板体収容空間に挿入されたときに、板体の下端と接触し、板体開口部が筐体開口部より上方に位置するように前記板体を上方に向けて付勢するバネと、を含み、板体を押し下げ、板体開口部が筐体開口部と重なる状態で、紐を一側端側から両開口部内に挿入し、その後板体をバネの力で上方に移動することで、板体開口部の下側端部と、筐体開口部の上側端部とで紐を挟み固定することを特徴とする。【０００６】  また、前記板体開口部の下側に当たる板体端部は、下方に向けて切り欠いた凹部を有しており、挿入された紐をここに収容した状態で、紐を前記筐体開口部の上側に当たる筐体端部に押しつけ固定することが好適である。【０００７】  また、前記板体の前記開口部の下側端部の凹部に対応する位置の厚みは、板体の他の位置より薄く形成されていることが好適である。【０００８】  また、前記筐体の一側端は、前記筐体開口部より下方が上方より筐体の内側に位置していることが好適である。【０００９】  前記筐体の底部には、前記板体収容空間を外部と連通する連通部を有することが好適である。さらに、前記板体を押し下げることによって、前記紐の固定を開放できることが好適である。
【発明の効果】
【００１０】  板体を押した状態で、筐体の横から紐を挿入し板体を離すことで紐を容易に固定することができる。また、板体を押すことで紐の固定状態を解除して紐の固定位置を容易に調整することができる。
【発明を実施するための最良の形態】
【００１１】  以下、本発明の実施形態について、図面に基づいて説明する。【００１２】  図１は、筐体１０の構成を示す図である。（Ａ）は平面図、（Ｂ）は正面図、（Ｃ）は右側面図、（Ｄ）はＢ−Ｂ’断面図である。筐体１０は、全体として中空の直方体であり、その上端面に開口１２を有している。そして、その開口１２から下方側に向けて、開口１２と同様の断面形状で伸びる、収容空間１４が形成されている。筐体１０の底部１６には、板状の蓋体１６が筐体１０に接着やねじ止めなど適宜手段で固定されている。ここで、蓋体１６は、収容空間１４の断面より小さく、収容空間１４の一部は下方に向けて開放されている。この例では、筐体１０の前面側と背面側に固定されており、蓋体１６の左右は収容空間１４が下方に向けて開放されている。このように、収容空間１４の底部が開放されていることで、収容空間１４内に水などが入ってもこれが収容空間１４内に溜まることなく外部に排出することができる。【００１３】  また、収容空間の１４の下部は、ほぼ円筒状のバネ収容空間１８となっており、このバネ収容空間１８の下端に蓋体１６が位置している。そして、バネ収容空間１８に圧縮バネ２０が挿入されている。この圧縮バネ２０は円筒状の弦巻バネであり、その径が収容空間１４の厚さより大きいため、バネ収容空間１８内から上方に出ることはなく、バネ収容空間１８内に収容される。また、筐体１０の上部の図における左側には、側端から内側に切り欠き状に伸びる開口部２２が形成されている。この開口部２２は、収容空間１４にまで至って下方に向けて広がる半円状に形成されている。特に、この開口部２２の内側部分は、収容空間１４と重なり合っている。【００１４】  図２には、収容空間１４に挿入される板体３０が示されている。（Ａ）は平面図、（Ｂ）は正面図、（Ｃ）はＡ−Ａ’断面図である。このように、板体３０は全体として長方形の板状である。そして、その上部の左側には、側端から内側に切り欠き状に伸びる開口部３２が形成されている。この開口部３２は、その下端側が凹状に切り欠かれて広がっている。この広がった部分に紐を収容する。また、この凹状の部分の板対は、厚みが薄い薄肉部３４となっている。さらに、板体３０の下端部の中央付近には、厚み方向の突起３６が両側に向けて形成されている。この突起３６は、例えば板体３０に穴を開け、ここに棒を挿入することなどによって形成すると良い。この棒は、バネ収容空間１８に内に収容されるが収容空間１４の厚みよりは大きく設定されている。そこで、この突起３６が収容空間１４の下方に位置することで、板体１４のそれ以上の上方への移動に対するストッパとして機能する。【００１５】  図３には、動作状態が示してある。（Ａ）は、板体３０を収容空間１４に単に挿入した状態を示している。この場合、バネ２０に負荷は掛かっておらず、板体３０は下端がバネ収容空間１８の上端に位置する。従って、板体３０は、突起３６が収容空間１４の下端に位置する状態で、止まる。【００１６】  なお、製作当たり、蓋体１６をとった状態で板体３０を下方側から挿入し、その後圧縮バネ２０をバネ収容空間１８に収容し、蓋体１６を筐体１０の底部に取り付けると良い。【００１７】  （Ｂ）���、手によって板体３０を押し下げた状態を示している。なお、筐体１０の上端は、中央付近が凹んでおり、板体３０を押し下げやすいようになっている。板体３０を押し下げることによって、板体３０は、バネ収容空間１８に進入し、バネ２０を圧縮する。そして、手によってバネ２０を圧縮することによって、板体３０が下方にまで移動し、これによって、板体の開口部３２と、筐体１０の開口部２２が一致し、両者を合わせた左側から中央部に至る空間が生じる。従って、この状態において、紐を左側から空間内に挿入することができる。すなわち、紐を横から空間内に挿入することができる。さらに、開口部３２の左側の開放端の下側に位置する板体３０の入口端は、上に向かった尖った形状となっている。従って、開口部３２の内側の空間に入った紐４０をその部分にくわえ込み確実に閉じ込めることができる。【００１８】  （Ｃ）には、紐４０を挿入した後、手を離して、板体３０を押圧するのを停止した状態を示している。この状態で、板体３０は、バネ２０によって上側に押し上げられ、（Ａ）の状態の戻ろうとするが、紐４０が挿入されているため、上昇は妨げられ、紐４０を小さくなった空間内に挟んだ状態で停止する。ここで、板体３０の開口部３２は、側端側の入口が狭く凹状部分が紐４０を収容する。このため、（Ｃ）に示すように紐４０を収容する空間は、左側も閉じており、紐４０を周囲から確実に固定することができる。さらに、図２に示したように、板体３０の紐４０の下側に位置する部分は薄肉部３４となっているため、紐４０に対する圧力を比較的大きくして、紐４０の長さ方向の移動を適切に防止して固定することができる。【００１９】  さらに、板体３０を下方に向けて少し押すと、板体３０が下方に移動する。この場合、開口２２，３２の左側は開放されなくても、紐４０の固定状態は解除される。そこで、その状態で紐４０を長さ方向に自由に移動することができる。少なくとも、板体３０の上端がが筐体１０の上端に至る、ストロークいっぱいに押し下げた場合には、紐４０の固定を確実に開放できるようにしている。このため、紐４０による対象物の締め付けなどが容易に行える。【００２０】  さらに、筐体１０の開口部２２の上側の側端面は、開口部２２の下側の側端面とは位置が異なり、この例では外側に張り出している。従って、紐４０を開口部２２に左側から挿入する場合、下側から紐を上げるような方向で移動させることで容易に開口部２２内に案内することできる。なお、上側の方を下側より引っ込んだ位置にすれば、上方から紐４０を移動させた場合に開口部２２に容易に案内できる。さらに、開口部２２の左側の開放端の下側に位置する筐体１０の入口端は、上に向かった尖った形状となっている。従って、開口部２２の内側の半円状空間に入った紐４０をその部分に確実に閉じ込めることができる。【００２１】  図４には、紐４０の固定状態が示されている。紐４０は、板体３０の開口３２の下端の薄肉部３４によって上方に向けて押しつけられ、一方筐体の前後壁の開口２２側端部によって上方から抑えられて固定される。従って、紐４０の固定は、一点による固定ではなく、紐が凸条に変形しながら複数の部分で確実に固定される。特に、紐４０が��形することで、紐４０の長さ方向の移動に対し確実な固定が行える。【００２２】  さらに、板体３０の開口３２の下端の薄肉部３４の上端部分を、ノコギリ刃状などの凸凹形状にすることも好適である。【００２３】  また、紐４０の一端を筐体１０に固定しておくことも好適である。図１および図５には、紐４０の固定のための構成が示されている。この例では、筐体１０に図１における正面側から右側面側に抜ける穴５０を形成し、この穴５０内に紐４０の端部を固定している。この固定は、紐４０の端部を穴５０内において接着剤で固定するとよい。また、紐４０の端部に結び目を作り、この結び目が穴５０の入口に引っかかるようにしてもよい。【００２４】  筐体１０および板体３０は、木、金属、プラスチックなど各種材質で形成することができるが、プラスチック成形によるのが安価である。また、バネ２０は、十分な弾性力を得るためには金属が好適であるが、プラスチックでも構成可能である。【００２５】  図６には、使用状態が示してある。枝などの締結したい物体６０を添え木６２などとともに紐４０のループの中に入れ、この状態で板体３０を手で押圧する。次に、紐４０を開口部２２，３２内に挿入し、手を離す。これによって、紐４０がその位置で固定される。さらに、板体３０を少し押しながら、紐４０を引っ張って、紐４０を長さ方向に移動させ、ループを適当な大きさにして、板体３０の押圧をやめる。このように、板体３０を少し押すことによって、紐４０は移動可能になるが、紐４０を収容している空間自体は周囲が完全またはほとんど閉じており、紐４０を移動するときに、紐４０が外れてしまうことを防止して、紐４０を長さ方向に始動して、ループの大きさを任意に調整することができる。【００２６】  なお、板体３０の開口部３２を比較的大きめにして、紐４０を２本収容することも可能である。
【図面の簡単な説明】
【００２７】
【図１】筐体１０の構成を示す図である。
【図２】板体３０の構成を示す図である。
【図３】動作状態を示す図である。
【図４】紐４０の固定状態を示す図である。
【図５】穴５０の構成を示す図である。
【図６】使用状態を示す図である。
【符号の説明】
【００２８】  １０  筐体、１２  開口、１４  収容空間、１６  底部、１８  バネ収容空間、２０  バネ、２２，３２  開口部、３０  板体、３４  薄肉部、４０  紐、５０  穴、６０  物体。
【図１】
2009261863.tif 000003
【図２】
2009261863.tif 000004
【図３】
2009261863.tif 000005
【図４】
2009261863.tif 000006
【図５】
2009261863.tif 000007
【図６】
2009261863.tif 000008